(57)【要約】【課題】異物によるノズルの作動不良、温水噴出不良、かつヒータ性能不良が確実に防止される温水タンクを提供することを目的とする。【解決手段】温水タンク本体と、前記温水タンク本体内に配置された温水ヒータと、前記温水タンク本体に洗浄水が供給される流入部と、前記温水ヒータで加熱された洗浄水が流出される流出部と、を備えた温水タンクであって、前記流出部には、前記加熱された洗浄水が流れる配管が接続され、前記流出部には、洗浄水の逆流を防止する弁と、前記弁の下流側に濾過手段を備えていることを特徴とする温水タンクである。【選択図】図３
2012207497.tif 000002
【特許請求の範囲】
【請求項１】
温水タンク本体と、前記温水タンク本体内に配置された温水ヒータと、前記温水タンク本体に洗浄水が供給される流入部と、前記温水ヒータで加熱された洗浄水が流出される流出部と、を備えた温水タンクであって、
前記流出部には、前記加熱された洗浄水が流れる配管が接続され、
前記流出部には、洗浄水の逆流を防止する弁と、前記弁の下流側に濾過手段を備えていることを特徴とする温水タンク。
【請求項２】
前記流出部は前記配管が接続されるふた部を備え、
前記ふた部内に前記弁と前記濾過手段が配置されており、
前記ふた部は前記タンク本体に対して取り外し可能に固定されていることを特徴とする請求項１に記載の温水タンク。
【請求項３】
前記流出部は前記濾過手段により分離された異物を溜めるスペースを有することを特徴とする請求項１または２に記載の温水タンク。
【請求項４】
前記濾過手段にストレーナを用いたことを特徴とする請求項１〜３のいずれか１項に記載の温水タンク。
【発明の詳細な説明】
【技術分野】
【０００１】
本発明は、異物分離機能を持った温水タンクに関する発明である。
【背景技術】
【０００２】
この種の温水洗浄装置は、周知の通り温水タンク内の温水ヒータによって温められた温水を人体腎部に向けてノズルから噴出して該腎部を洗浄するものである。硬水地域等において、温水ヒータ下流側でカルシウム等の異物が析出し、ノズルの作動不良や温水噴出不良を引き起こしていた。異物を分離する技術として大気開放弁上流側にストレーナを配置し、異物を温水タンク内に留める技術（特許文献１）が知られている。しかしながら、温水タンク内に異物が堆積されるため、温水タンク内の温水ヒータに異物が堆積し、ヒータ性能の不良を引き起こす懸念があった。
【先行技術文献】
【特許文献】
【０００３】
【特許文献１】特開２００１−１０２４０６号公報
【発明の概要】
【発明が解決しようとする課題】
【０００４】
本発明は、かかる課題の認識に基づいてなされたものであり、異物によるノズルの作動不良、温水噴出不良、かつヒータ性能不良が確実に防止される温水タンクを提供する。
【課題を解決するための手段】
【０００５】
第１の発明は、温水タンク本体と、前記温水タンク本体内に配置された温水ヒータと、前記温水タンク本体に洗浄水が供給される流入部と、前記温水ヒータで加熱された洗浄水が流出される流出部と、を備えた温水タンクであって、前記流出部には、前記加熱された洗浄水が流れる配管が接続され、前記流出部には、洗浄水の逆流を防止する弁と、前記弁の下流側に濾過手段を備えていることを特徴とする温水タンクである。
【０００６】
第１の発明によれば、逆流を防止する弁よりも下流側に濾過手段を備えていることにより、異物が温水ヒータに堆積することがなく、温水タンクの下流側に配置されているノズルの作動不良、温水噴出不良、およびヒータに異物が堆積することによるヒータ性能不良を防止することができる。
【０００７】
また、第２の発明は、前記流出部は前記配管が接続されるふた部を備え、前記ふた部内に前記弁と前記濾過手段が配置されており、前記ふた部は前記タンク本体に対して取り外し可能に固定されていることを特徴とする温水タンクである。
【０００８】
第２の発明によれば、濾過手段で分離した異物を温水タンク外部に除去する事ができ、硬水地域等においても温水タンクを長期間使用することができる。
【０００９】
また、第３の発明は、前記流出部は前記濾過手段により分離された異物を溜めるスペースを有することを特徴とする温水タンクである。
【００１０】
第３の発明によれば、濾過手段により分離された異物は、流路中に堆積されず、洗浄水の流れを邪魔しない流出部のスペースに溜めることができるので、流路詰まりを起こすことなく長期間異物を分離することができる。
【００１１】
また、第４の発明は、前記濾過手段にストレーナを用いたことを特徴とする温水タンクである。
【００１２】
第４の発明によれば、メンテナンス性の高いストレーナを用いることで、定期的にストレーナをメンテナンスすることで、温水タンクを長期間使用することができる。
【発明の効果】
【００１３】
本発明の態様によれば、異物によるノズルの作動不良、温水噴出不良、かつヒータ性能不良が確実に防止される温水タンクを提供することができる。
【図面の簡単な説明】
【００１４】
【図１】本発明の実施の形態にかかる、温水タンクの断面図である。
【図２】本発明の実施の形態にかかる、温水タンク上部の断面図である。
【図３】本発明の実施の形態にかかる、ふた部の断面図である。
【図４】本発明の実施の形態にかかる、ストレーナの概略図である。
【発明を実施するための形態】
【００１５】
以下、図面を参照して実施形態について説明する。図１は、本発明の実施の形態にかかる温水タンクの断面図である。
【００１６】
温水タンクは温水洗浄便座の中のカバー内に設置され、温水タンクの下流側には、人体の局部などを洗浄するノズルが設置されている。温水タンクはノズルから吐水される洗浄水を水から温水に変えるためのものである。この温水タンクは温水ヒータ１、温水タンク本体２、流入部３、流出部４からなる。
【００１７】
温水ヒータ１は温水タンク本体２の下部に設置され、水を温めるものである。温水タンク本体２下部には水の流入部３が設けられており、ここから洗浄水が温水タンク内に流入する。温水タンク本体２上部には水の流出部４が設けられており、流出部４上部には逆流を防止するための弁６および濾過手段７が設置されている。流出部には配管５に繋がっており、温水ヒータ１によって温められた洗浄水は流出部４、弁６、濾過手段７を通り、配管５へと流出する。弁６の下流側かつ配管５の上流側に濾過手段７が設置されており、カルシウム等の異物が温水タンク下流に流れることを防止することができる。
【００１８】
第２図は温水タンク上部の断面図である。同一符号は同一部分を示している。流出部４上部にはふた部９が設けられており、このふた部９を介して流出部４は配管５に繋がっている。ふた部９は温水タンク本体２上面とともに流路を形成し、逆流を防止するための弁６を覆っている。ふた部９内かつ弁６の下流側に濾過手段７を設置することにより、異物を温水タンク本体２外に分離することができ、ノズルの作動不良、温水噴出不良、ヒータ性能不良を防止することができる。
【００１９】
ふた部９は、ねじ８により温水タンク本体２に固定されている。そのため、ねじ８を外すとふた部９を温水タンク本体２から簡単に着脱でき、濾過手段７によって分離された異物の除去および濾過手段７のメンテナンスが可能であり、温水タンクを長期間使用することができる。
【００２０】
第３図にふた部の断面図を示す。ふた部９内壁と、温水タンクの流出部４に形成されふた部内壁よりも径の小さな温水タンク本体凸部１３および、温水タンク本体２上面によりスペース１０が形成される。洗浄水の流れは、温水タンク本体凸部１３の上部に設置された弁６を持ち上げ、スペース１０よりも上方にある配管５に向かって流れる構成になっているため、スペース１０が詰まっても洗浄水の流れに大きな影響を与えることはない。濾過手段７はスペース１０の上方を覆っており、濾過手段７により分離された異物は洗浄水が通水されない時は重力の影響で真下に落ちるため、分離された異物の大部分はこの詰まっても洗浄水の流れに大きな影響のないスペース１０に堆積される。これにより、流路詰まりおよび流量の低下を起こすことなく、長期間異物を分離することができる。
【００２１】
第４図に示す実施の形態では、濾過手段としてストレーナを用いる。ストレーナはメッシュ１１および台１２から構成されている。メッシュ１１は台１２により、ふた部９内で弁６の下流側かつスペース１０の上方に支持される。メッシュ１１は網目構造をしており、網の穴よりも大きな異物を下流側に流さないため、洗浄水を濾過することができる。分離した異物は簡単に網から剥がれるため、容易にメンテナンスをすることができる。濾過手段７としてこのメンテナンス性の高いストレーナを用いることにより温水タンクを長期間使用することができる。濾過手段としては、ストレーナ以外にフィルタ等を用いてもよい。
【００２２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。
【符号の説明】
【００２３】
１…温水ヒータ
２…温水タンク本体
３…流入部
４…流出部
５…配管
６…弁
７…濾過手段
８…ねじ
９…ふた部
１０…スペース
１１…メッシュ
１２…台
１３…温水タンク本体凸部
【図３】
2012207497.tif 000003
【図４】
2012207497.tif 000004
【図１】
2012207497.tif 000005
【図２】
2012207497.tif 000006